(57)【要約】【課題】  ユーザの生活スタイルにあった音声又は映像の再生を、複雑な操作なしに実行することができる「車載情報機器、制御プログラム及びコンピュータ読み取り可能な記録媒体」を提供する。【解決手段】  コントローラ１２は、表示器１３からの入力を介して複数の時間帯を設定する。メモリ１２ａは設定された時間帯毎に、ＡＣＣスイッチ１０をオフする際に使用されている情報出力部（ＤＶＤ／ＣＤドライブ１４、ＨＤドライブ１５、ＴＶチューナー１６等の総括名称）の設定内容を記憶する。コントローラ１２は、ＡＣＣスイッチ１０をオンしたときに、現在の時刻が複数の時間帯のいずれに含まれるかが判断する。コントローラ１２の判断結果に基づいて、現在の時刻を含む時間帯に対応する情報出力部の設定内容がメモリ１２ａから読み出され、当該読み出された設定内容に従って、音声又は映像が再生される。【選択図】      図１
2008167160.tif 000002
【特許請求の範囲】
【請求項１】
音声又は映像の情報を出力する複数の情報出力手段と、
複数の時間帯を設定する設定手段と、
前記設定手段により設定された時間帯毎に、電源をオフする際に使用されている情報出力手段の設定内容を記憶する記憶手段と、
電源をオンしたときに、現在の時刻が前記複数の時間帯のいずれに含まれるかを判断する判断手段と、
前記判断手段の判断結果に基づいて、現在の時刻を含む時間帯に対応する情報出力手段の設定内容を前記記憶手段から読み出し、当該読み出された設定内容に従って、当該音声又は映像を再生する再生手段と
を備えることを特徴とする車載情報機器。
【請求項２】
音声又は映像の情報を出力する複数の情報出力手段と、
出発地及び目的地を含む場所情報を複数設定する設定手段と、
前記設定手段により設定された場所情報毎に、電源をオフする際に使用されている情報出力手段の設定内容を記憶する記憶手段と、
電源をオンしたときに、現在の出発地及び目的地が前記複数の場所情報のいずれに該当するかを判断する判断手段と、
前記判断手段の判断結果に基づいて、現在の出発地及び目的地に対応する情報出力手段の設定内容を前記記憶手段から読み出し、当該読み出された設定内容に従って、当該音声又は映像を再生する再生手段と
を備えることを特徴とする車載情報機器。
【請求項３】
音声又は映像の情報を出力する複数の情報出力手段と、
複数のルート情報を設定する設定手段と、
前記設定手段により設定されたルート情報毎に、電源をオフする際に使用されている情報出力手段の設定内容を記憶する記憶手段と、
電源をオンしたときに、現在のルートが前記複数のルート情報のいずれに該当するかを判断する判断手段と、
前記判断手段の判断結果に基づいて、現在のルートに対応する情報出力手段の設定内容を前記記憶手段から読み出し、当該読み出された設定内容に従って、当該音声又は映像を再生する再生手段と
を備えることを特徴とする車載情報機器。
【請求項４】
前記設定手段及び前記記憶手段の機能の有効又は無効を切り換える切換手段を備えていることを特徴とする請求項１乃至３のいずれか１項記載の車載情報機器。
【請求項５】
前記電源をオフする際に使用されている情報出力手段がラジオである場合には、前記情報出力手段の設定内容は少なくとも、前記情報出力手段の種類、周波数及び音量を含むことを特徴とする請求項１乃至４のいずれか１項記載の車載情報機器。
【請求項６】
前記電源をオフする際に使用されている情報出力手段がテレビである場合には、前記情報出力手段の設定内容は少なくとも、前記情報出力手段の種類、チャンネル番号及び音量を含むことを特徴とする請求項１乃至５のいずれか１項記載の車載情報機器。
【請求項７】
前記電源をオフする際に使用されている情報出力手段がＣＤである場合には、前記情報出力手段の設定内容は少なくとも、前記情報出力手段の種類、トラック番号、再生経過時間、及び音量を含むを特徴とする請求項１乃至６のいずれか１項記載の車載情報機器。
【請求項８】
前記電源をオフする際に使用されている情報出力手段がＤＶＤである場合には、前記情報出力手段の設定内容は少なくとも、前記情報出力手段の種類、チャプタ番号、再生経過時間、及び音量を含むを特徴とする請求項１乃至７のいずれか１項記載の車載情報機器。
【請求項９】
車載用のコンピュータを
音声又は映像の情報を出力する複数の情報出力手段、
複数の時間帯を設定する設定手段、
前記設定手段により設定された時間帯毎に、電源をオフする際に使用されている情報出力手段の設定内容を記憶する記憶手段、
電源をオンしたときに、現在の時刻が前記複数の時間帯のいずれに含まれるかを判断する判断手段、及び
前記判断手段の判断結果に基づいて、現在の時刻を含む時間帯に対応する情報出力手段の設定内容を前記記憶手段から読み出し、当該読み出された設定内容に従って、当該音声又は映像を再生する再生手段
として機能させることを特徴とする制御プログラム。
【請求項１０】
車載用のコンピュータを
音声又は映像の情報を出力する複数の情報出力手段、
出発地及び目的地を含む場所情報を複数設定する設定手段、
前記設定手段により設定された場所情報毎に、電源をオフする際に使用されている情報出力手段の設定内容を記憶する記憶手段、
電源をオンしたときに、現在の出発地及び目的地が前記複数の場所情報のいずれに該当するかを判断する判断手段、及び
前記判断手段の判断結果に基づいて、現在の出発地及び目的地に対応する情報出力手段の設定内容を前記記憶手段から読み出し、当該読み出された設定内容に従って、当該音声又は映像を再生する再生手段
として機能させることを特徴とする制御プログラム。
【請求項１１】
車載用のコンピュータを
音声又は映像の情報を出力する複数の情報出力手段、
複数のルート情報を設定する設定手段、
前記設定手段により設定されたルート情報毎に、電源をオフする際に使用されている情報出力手段の設定内容を記憶する記憶手段、
電源をオンしたときに、現在のルートが前記複数のルート情報のいずれに該当するかを判断する判断手段、及び
前記判断手段の判断結果に基づいて、現在のルートに対応する情報出力手段の設定内容を前記記憶手段から読み出し、当該読み出された設定内容に従って、当該音声又は映像を再生する再生手段
として機能させることを特徴とする制御プログラム。
【請求項１２】
車載用のコンピュータを
音声又は映像の情報を出力する複数の情報出力手段、
複数の時間帯を設定する設定手段、
前記設定手段により設定された時間帯毎に、電源をオフする際に使用されている情報出力手段の設定内容を記憶する記憶手段、
電源をオンしたときに、現在の時刻が前記複数の時間帯のいずれに含まれるかを判断する判断手段、及び
前記判断手段の判断結果に基づいて、現在の時刻を含む時間帯に対応する情報出力手段の設定内容を前記記憶手段から読み出し、当該読み出された設定内容に従って、当該音声又は映像を再生する再生手段
として機能させるためのプログラムを記録したことを特徴とするコンピュータ読み取り可能な記録媒体。
【請求項１３】
車載用のコンピュータを
音声又は映像の情報を出力する複数の情報出力手段、
出発地及び目的地を含む場所情報を複数設定する設定手段、
前記設定手段により設定された場所情報毎に、電源をオフする際に使用されている情報出力手段の設定内容を記憶する記憶手段、
電源をオンしたときに、現在の出発地及び目的地が前記複数の場所情報のいずれに該当するかを判断する判断手段、及び
前記判断手段の判断結果に基づいて、現在の出発地及び目的地に対応する情報出力手段の設定内容を前記記憶手段から読み出し、当該読み出された設定内容に従って、当該音声又は映像を再生する再生手段
として機能させるためのプログラムを記録したことを特徴とするコンピュータ読み取り可能な記録媒体。
【請求項１４】
車載用のコンピュータを
音声又は映像の情報を出力する複数の情報出力手段、
複数のルート情報を設定する設定手段、
前記設定手段により設定されたルート情報毎に、電源をオフする際に使用されている情報出力手段の設定内容を記憶する記憶手段、
電源をオンしたときに、現在のルートが前記複数のルート情報のいずれに該当するかを判断する判断手段、及び
前記判断手段の判断結果に基づいて、現在のルートに対応する情報出力手段の設定内容を前記記憶手段から読み出し、当該読み出された設定内容に従って、当該音声又は映像を再生する再生手段
として機能させるためのプログラムを記録したことを特徴とするコンピュータ読み取り可能な記録媒体。
【発明の詳細な説明】
【技術分野】
【０００１】
本発明は、ユーザの生活スタイルに合わせた音声又は映像の再生を可能にする車載情報機器、制御プログラム及びコンピュータ読み取り可能な記録媒体に関する。
【背景技術】
【０００２】
従来より、選曲受信中に予約キーが操作されたときに、現時刻の時間帯に対応させて現在受信中の放送局の選局情報を予約選局情報として予約メモリに書き込むと共に、電源がオンしたとき、タイマから入力した現時刻の時間帯に係る予約選曲情報を予約メモリから読み出してチューナの選局制御を行う車載用ラジオの自動選局システムが知られている（例えば、特許文献１参照）。
【特許文献１】特開昭６３−１７７６２１号公報
【発明の開示】
【発明が解決しようとする課題】
【０００３】
しかしながら、上記車載用ラジオの自動選局システムでは、予め予約キーを操作して予約メモリに選局情報を登録しておく必要があり、ユーザが各時間帯毎に選局情報を登録しておく必要があり、煩わしさがあった。
【０００４】
また、近年の車載情報機器は、ラジオ以外にも、テレビ、ＣＤ、ＤＶＤ等の音声や映像も再生するため、上記のように、ユーザに予め多くの情報の設定操作を要求すると、煩わしさが増大するという課題がある。
【０００５】
本発明の目的は、ユーザの生活スタイルにあった音声又は映像の再生を、複雑な操作なしに実行することができる車載情報機器、制御プログラム及びコンピュータ読み取り可能な記録媒体を提供することにある。
【課題を解決するための手段】
【０００６】
上記目的を達成するため、請求項１記載の車載情報機器は、音声又は映像の情報を出力する複数の情報出力手段と、複数の時間帯を設定する設定手段と、前記設定手段により設定された時間帯毎に、電源をオフする際に使用されている情報出力手段の設定内容を記憶する記憶手段と、電源をオンしたときに、現在の時刻が前記複数の時間帯のいずれに含まれるかを判断する判断手段と、前記判断手段の判断結果に基づいて、現在の時刻を含む時間帯に対応する情報出力手段の設定内容を前記記憶手段から読み出し、当該読み出された設定内容に従って、当該音声又は映像を再生する再生手段とを備えることを特徴とする。
【０００７】
この構成によれば、設定された時間帯毎に、電源をオフする際に使用されている情報出力部の設定内容が記憶手段に記憶され、電源をオンしたときに、現在の時刻が複数の時間帯のいずれに含まれるかが判断され、その判断結果に基づいて、現在の時刻を含む時間帯に対応する情報出力部の設定内容が記憶手段から読み出され、当該読み出された設定内容に従って、音声又は映像が再生されるので、ユーザの生活スタイルにあった音声又は映像の再生を、複雑な操作なしに実行することができる。
【０００８】
請求項２記載の車載情報機器は、音声又は映像の情報を出力する複数の情報出力手段と、出発地及び目的地を含む場所情報を複数設定する設定手段と、前記設定手段により設定された場所情報毎に、電源をオフする際に使用されている情報出力手段の設定内容を記憶する記憶手段と、電源をオンしたときに、現在の出発地及び目的地が前記複数の場所情報のいずれに該当するかを判断する判断手段と、前記判断手段の判断結果に基づいて、現在の出発地及び目的地に対応する情報出力手段の設定内容を前記記憶手段から読み出し、当該読み出された設定内容に従って、当該音声又は映像を再生する再生手段とを備えることを特徴とする。
【０００９】
この構成によれば、設定された出発地及び目的地を含む場所情報毎に、電源をオフする際に使用されている情報出力部の設定内容が記憶手段に記憶され、電源をオンしたときに、現在の出発地及び目的地が複数の場所情報のいずれに該当するかが判断され、その判断結果に基づいて、現在の出発地及び目的地に対応する情報出力部の設定内容が記憶手段から読み出され、当該読み出された設定内容に従って、音声又は映像が再生されるので、ユーザの生活スタイルにあった音声又は映像の再生を、複雑な操作なしに実行することができる。
【００１０】
請求項３記載の車載情報機器は、音声又は映像の情報を出力する複数の情報出力手段と、複数のルート情報を設定する設定手段と、前記設定手段により設定されたルート情報毎に、電源をオフする際に使用されている情報出力手段の設定内容を記憶する記憶手段と、電源をオンしたときに、現在のルートが前記複数のルート情報のいずれに該当するかを判断する判断手段と、前記判断手段の判断結果に基づいて、現在のルートに対応する情報出力手段の設定内容を前記記憶手段から読み出し、当該読み出された設定内容に従って、当該音声又は映像を再生する再生手段とを備えることを特徴とする。
【００１１】
この構成によれば、設定されたルートの情報毎に、電源をオフする際に使用されている情報出力部の設定内容が記憶手段に記憶され、電源をオンしたときに、現在のルートが複数のルートの情報のいずれに該当するかが判断され、その判断結果に基づいて、現在のルートに対応する情報出力部の設定内容が記憶手段から読み出され、当該読み出された設定内容に従って、音声又は映像が再生されるので、ユーザの生活スタイルにあった音声又は映像の再生を、複雑な操作なしに実行することができる。
【００１２】
請求項４記載の車載情報機器は、請求項１乃至３のいずれか１項記載の車載情報機器において、前記設定手段及び前記記憶手段の機能の有効又は無効を切り換える切換手段を備えていることを特徴とする。
【００１３】
この構成によれば、設定手段及び記憶手段の機能を無効にすることで、設定手段による設定の内容によらず、常に、電源をオフする際に視聴していた音声又は映像を、次の電源オン時に再生することができる。
【００１４】
請求項５記載の車載情報機器は、請求項１乃至４のいずれか１項記載の車載情報機器において、前記電源をオフする際に使用されている情報出力手段がラジオである場合には、前記情報出力手段の設定内容は少なくとも、前記情報出力手段の種類、周波数及び音量を含むことを特徴とする。
【００１５】
この構成によれば、電源がオフされた際の、情報出力手段の種類、周波数及び音量の設定内容に基づいてラジオの音声を再生できる。
【００１６】
請求項６記載の車載情報機器は、請求項１乃至５のいずれか１項記載の車載情報機器において、前記電源をオフする際に使用されている情報出力手段がテレビである場合には、前記情報出力手段の設定内容は少なくとも、前記情報出力手段の種類、チャンネル番号及び音量を含むことを特徴とする。
【００１７】
この構成によれば、電源がオフされた際の、情報出力手段の種類、チャンネル番号及び音量の設定内容に基づいてテレビの映像及び音声を再生できる。
【００１８】
請求項７記載の車載情報機器は、請求項１乃至６のいずれか１項記載の車載情報機器において、前記電源をオフする際に使用されている情報出力手段がＣＤである場合には、前記情報出力手段の設定内容は少なくとも、前記情報出力手段の種類、トラック番号、再生経過時間、及び音量を含むを特徴とする。
【００１９】
この構成によれば、電源がオフされた際の、情報出力手段の種類、トラック番号、再生経過時間、及び音量の設定内容に基づいてＣＤの音声を再生できる。
【００２０】
請求項８記載の車載情報機器は、請求項１乃至７のいずれか１項記載の車載情報機器において、前記電源をオフする際に使用されている情報出力手段がＤＶＤである場合には、前記情報出力手段の設定内容は少なくとも、前記情報出力手段の種類、チャプタ番号、再生経過時間、及び音量を含むを特徴とする。
【００２１】
この構成によれば、電源がオフされた際の、情報出力手段の種類、チャプタ番号、再生経過時間、及び音量の設定内容に基づいてＤＶＤの映像及び音声を再生できる。
【００２２】
請求項９記載の制御プログラムは、車載用のコンピュータを音声又は映像の情報を出力する複数の情報出力手段、複数の時間帯を設定する設定手段、前記設定手段により設定された時間帯毎に、電源をオフする際に使用されている情報出力手段の設定内容を記憶する記憶手段、電源をオンしたときに、現在の時刻が前記複数の時間帯のいずれに含まれるかを判断する判断手段、及び前記判断手段の判断結果に基づいて、現在の時刻を含む時間帯に対応する情報出力手段の設定内容を前記記憶手段から読み出し、当該読み出された設定内容に従って、当該音声又は映像を再生する再生手段として機能させることを特徴とする。
【００２３】
この構成によれば、請求項１記載の車載情報機器と同様の効果を奏することができる。
【００２４】
請求項１０記載の制御プログラムは、車載用のコンピュータを音声又は映像の情報を出力する複数の情報出力手段、出発地及び目的地を含む場所情報を複数設定する設定手段、前記設定手段により設定された場所情報毎に、電源をオフする際に使用されている情報出力手段の設定内容を記憶する記憶手段、電源をオンしたときに、現在の出発地及び目的地が前記複数の場所情報のいずれに該当するかを判断する判断手段、及び前記判断手段の判断結果に基づいて、現在の出発地及び目的地に対応する情報出力手段の設定内容を前記記憶手段から読み出し、当該読み出された設定内容に従って、当該音声又は映像を再生する再生手段として機能させることを特徴とする。
【００２５】
この構成によれば、請求項２記載の車載情報機器と同様の効果を奏することができる。
【００２６】
請求項１１記載の制御プログラムは、車載用のコンピュータを音声又は映像の情報を出力する複数の情報出力手段、複数のルート情報を設定する設定手段、前記設定手段により設定されたルート情報毎に、電源をオフする際に使用されている情報出力手段の設定内容を記憶する記憶手段、電源をオンしたときに、現在のルートが前記複数のルート情報のいずれに該当するかを判断する判断手段、及び前記判断手段の判断結果に基づいて、現在のルートに対応する情報出力手段の設定内容を前記記憶手段から読み出し、当該読み出された設定内容に従って、当該音声又は映像を再生する再生手段として機能させることを特徴とする。
【００２７】
この構成によれば、請求項３記載の車載情報機器と同様の効果を奏することができる。
【００２８】
請求項１２記載のコンピュータ読み取り可能な記録媒体は、車載用のコンピュータを音声又は映像の情報を出力する複数の情報出力手段、複数の時間帯を設定する設定手段、前記設定手段により設定された時間帯毎に、電源をオフする際に使用されている情報出力手段の設定内容を記憶する記憶手段、電源をオンしたときに、現在の時刻が前記複数の時間帯のいずれに含まれるかを判断する判断手段、及び前記判断手段の判断結果に基づいて、現在の時刻を含む時間帯に対応する情報出力手段の設定内容を前記記憶手段から読み出し、当該読み出された設定内容に従って、当該音声又は映像を再生する再生手段として機能させるためのプログラムを記録したことを特徴とする。
【００２９】
この構成によれば、請求項１記載の車載情報機器と同様の効果を奏することができる。
【００３０】
請求項１３記載のコンピュータ読み取り可能な記録媒体は、車載用のコンピュータを音声又は映像の情報を出力する複数の情報出力手段、出発地及び目的地を含む場所情報を複数設定する設定手段、前記設定手段により設定された場所情報毎に、電源をオフする際に使用されている情報出力手段の設定内容を記憶する記憶手段、電源をオンしたときに、現在の出発地及び目的地が前記複数の場所情報のいずれに該当するかを判断する判断手段、及び前記判断手段の判断結果に基づいて、現在の出発地及び目的地に対応する情報出力手段の設定内容を前記記憶手段から読み出し、当該読み出された設定内容に従って、当該音声又は映像を再生する再生手段として機能させるためのプログラムを記録したことを特徴とする。
【００３１】
この構成によれば、請求項２記載の車載情報機器と同様の効果を奏することができる。
【００３２】
請求項１４記載のコンピュータ読み取り可能な記録媒体は、車載用のコンピュータを音声又は映像の情報を出力する複数の情報出力手段、複数のルート情報を設定する設定手段、前記設定手段により設定されたルート情報毎に、電源をオフする際に使用されている情報出力手段の設定内容を記憶する記憶手段、電源をオンしたときに、現在のルートが前記複数のルート情報のいずれに該当するかを判断する判断手段、及び前記判断手段の判断結果に基づいて、現在のルートに対応する情報出力手段の設定内容を前記記憶手段から読み出し、当該読み出された設定内容に従って、当該音声又は映像を再生する再生手段として機能させるためのプログラムを記録したことを特徴とする。
【発明の効果】
【００３３】
本発明によれば、ユーザの生活スタイルにあった音声又は映像の再生を、複雑な操作なしに実行することができる。
【発明を実施するための最良の形態】
【００３４】
以下、図面を参照しながら本発明の実施の形態を説明する。
【００３５】
（第１の実施の形態）
図１は、本発明の第１の実施の形態に係る車載情報機器の構成図である。
【００３６】
車載情報機器は、例えば、カーナビゲーションシステムで構成される。同図において、車載情報機器１００は、アクセサリー（ＡＣＣ）スイッチ１０、キースイッチ群１１、コントローラ１２、表示器１３、ＤＶＤ／ＣＤドライブ１４、ハードディスク（ＨＤ）ドライブ１５、ＴＶチューナー１６、ＡＭ／ＦＭチューナー１７、インターフェース１８、オーディオプロセッサ１９、及びアンプ２０を備えている。ＡＣＣスイッチ１０、キースイッチ群１１、表示器１３、ＤＶＤ／ＣＤドライブ１４、ハードディスク（ＨＤ）ドライブ１５、ＴＶチューナー１６、ＡＭ／ＦＭチューナー１７、インターフェース１８、及びオーディオプロセッサ１９は、コントローラ１２に接続されている。
【００３７】
ＡＣＣスイッチ１０は、車載情報機器１００の電源をオン／オフするスイッチである。キースイッチ群１１は、複数のキースイッチ（ＳＷ）で構成されており、ＡＭ／ＦＭの放送局の設定、再生対象のＣＤディスクの変更、再生音又は再生映像の早送り又は巻き戻しなどに利用される。
【００３８】
コントローラ１２は、ＣＰＵやメモリで構成され、車載情報機器１００の全体（各構成要素）を制御する。また、コントローラ１２は、後述する各種の設定内容や情報を記憶するメモリ１２ａと、正確な時刻を計時するシステム時計１２ｂとを備えている。
【００３９】
表示器１３は、複数の操作ボタンを表示するタッチパネル式の液晶ディスプレイで構成され、ナビゲーションで利用される地図情報、ＤＶＤの再生映像、車載情報機器１００のユーザインターフェース等の各種の情報を表示する。
【００４０】
ＤＶＤ／ＣＤドライブ１４は、ナビゲーションで利用される地図情報を含むＤＶＤ／ＣＤの再生、又は市販の音楽ＣＤや映像ＤＶＤの再生を実行する。
【００４１】
ＨＤドライブ１５は、ナビゲーションで利用される地図情報、音楽、映像などの各種の情報やデータを備えている。尚、ＨＤドライブ１５はオプションであり、必ずしも備えていなくても良い。
【００４２】
ナビゲーションで利用される地図情報、市販のＤＶＤ及びＨＤドライブ１５内の映像データは、コントローラ１２を介して表示器１３に表示される。一方、市販の音楽ＣＤ、ＤＶＤ及びＨＤドライブ内の音声データは、オーディオプロセッサ１９に入力される。
【００４３】
ＴＶチューナー１６は、ＴＶ放送局から発信される電波信号を受信し、その信号から音声信号と映像信号を抽出して、音声信号をオーディオプロセッサ１９に入力し、映像信号をコントローラ１２を介して表示器１３に入力する。
【００４４】
ＡＭ／ＦＭチューナー１７は、ＡＭ／ＦＭの放送局から発信される電波信号を受信し、その信号をオーディオプロセッサ１９に入力する。
【００４５】
インタフェース１８は、ipod（登録商標）などの外部機器を接続するための入力端子（ＡＵＸ）、ＳＤカードなどの記憶媒体のデータを読み書きするリーダ／ライタ部などを備える。
【００４６】
オーディオプロセッサ１９は、デジタルシグナルプロセッサ（ＤＳＰ）であり、ＤＶＤ／ＣＤドライブ１４、ＨＤドライブ１５、ＴＶチューナー１６及びＡＭ／ＦＭチューナー１７から音声信号等を受信し、当該信号に基づいて正弦波の波形信号を生成する。アンプ２０は、オーディオプロセッサ１９から出力された波形信号を増幅し、スピーカー２１に出力する。これにより、音声が出力される。
【００４７】
尚、以下の説明では、ＤＶＤ／ＣＤドライブ１４、ハードディスク（ＨＤ）ドライブ１５、ＴＶチューナー１６、ＡＭ／ＦＭチューナー１７、及びインターフェース１８の包括的な名称を、情報出力部という。
【００４８】
図２は、表示器１３に表示されるモード切替の操作画面の一例を示す図である。
【００４９】
同図において、操作画面は、ＤＶＤ／ＣＤモードに切り換えるためのボタン５１、ＨＤＤ−ＡＵＤＩＯモードに切り換えるためのボタン５２、ＳＤモードに切り換えるためのボタン５３、設定モードに切り換えるためのボタン５４、ＴＶモードに切り換えるためのボタン５５、ＡＭ／ＦＭモードに切り換えるためのボタン５６、ＡＵＸモードに切り換えるためのボタン５７、及びトップメニューに切り換えるためのボタン５７を表示する。ＤＶＤ／ＣＤモードは、ＤＶＤ／ＣＤを再生するモードであり、ＨＤＤ−ＡＵＤＩＯモードは、ＨＤドライブに記録された音声ファイルを再生するモードである。ＳＤモードは、インターフェース１８に差し込まれたＳＤカードに記録された音声ファイルを再生するモードであり、設定モードは、複数の時間帯又は複数のルートを設定するモードである。ＴＶモードは、テレビ映像を再生するためのモードであり、ＡＭ／ＦＭモードは、ＡＭ／ＦＭラジオの音声を出力するモードであり、ＡＵＸモードは、ipod（登録商標）などの外部機器から出力される音声データを再生するモードである。
【００５０】
表示器１３は、タッチパネル式の液晶ディスプレイで構成されているため、ボタン５１〜５７のいずれかがタッチされると、そのタッチされたボタンに対応するモードの画面を表示する。尚、画面の切換は、コントローラ１２の制御により実行される。具体的には、ボタン５１〜５７のいずれかがタッチされると、そのタッチされたボタンに対応する信号が表示器１３からコントローラ１２に送信され、コントローラ１２は当該信号に基づいてタッチされたボタンに対応するモードの画面データをメモリ１２ａから読み出して、表示器１３に送信する。表示器１３は画面データをコントローラ１２から受信して表示する。これにより、画面の切換が実行される。
【００５１】
図３は、設定モードの画面の第１の例を示す図である。この設定モードの画面は、図２のボタン５４がタッチされたときに表示器１３に表示される。
【００５２】
同図において、設定モードの画面は、設定された時間帯をグラフ上に表示する領域１０１、時間帯の設定領域１０２ａ〜１０２ｄ、情報出力部の設定内容を示す領域１０３ａ，１０３ｂ、入力ＵＩボタン１０４、設定のオン／オフを切り換える領域１０５、及び図２の操作画面に切り換えるためのボタン１０６を表示する。
【００５３】
この設定モードの画面では、「設定１」及び「設定２」の２つの時間帯が設定できる。設定領域１０２ａには「設定１」の開始時刻が入力され、設定領域１０２ｂには「設定１」の終了時刻が入力される。設定領域１０２ａ，１０２ｂに入力された時刻の情報は、「設定１」の開始時刻及び終了時刻として、それぞれメモリ１２ａに保存される。具体的には、後述する図７のメモリ１２ａ内のメモリ領域２０１に保存される。
【００５４】
設定領域１０２ｃには「設定２」の開始時刻が入力され、設定領域１０２ｄには「設定２」の終了時刻が入力される。設定領域１０２ｃ，１０２ｄに入力された時刻の情報は、「設定２」の開始時刻及び終了時刻として、それぞれメモリ１２ａに保存される。具体的には、後述する図７のメモリ１２ａ内のメモリ領域２０３に保存される。
【００５５】
各設定領域１０２ａ〜１０２ｄに時刻を入力する際には、ユーザは入力ＵＩボタン１０４にタッチする。入力ＵＩボタン１０４がタッチされると、表示器１３には、図４（Ａ）に示す入力ユーザインターフェースが表示される。図４（Ａ）の入力ユーザインターフェース内の「英数」ボタンをタッチすると、表示器１３には、図４（Ｂ）の入力ユーザインターフェースが表示される。
【００５６】
例えば、図３の設定領域１０２ａがタッチされて選択され、入力ＵＩボタン１０４がタッチされ、表示器１３に図４（Ｂ）の入力ユーザインターフェースが表示されているとする。図４（Ｂ）の入力ユーザインターフェースに含まれるキー「Ａ」「Ｍ」「０」「４」「：」「０」「０」を順にタッチすると、領域１０８に「ＡＭ０４：００」と入力される。この状態でボタン１０７がタッチされると、表示器１３は図３の設定モードの画面を表示し、設定領域１０２ａに「ＡＭ０４：００」が入力される。このようにして、設定領域１０２ａ〜１０２ｄには時刻が入力される。
【００５７】
図３の領域１０１には、「設定１」及び「設定２」で設定された時間帯がグラフ上に表示される。
【００５８】
領域１０３ａ，１０３ｂは、設定１，設定２の時間帯で使用された最後（ラスト）のＣＤ、ＤＶＤ、ＴＶ、又はＡＭ／ＦＭラジオ等の情報出力部の設定内容をそれぞれ表示する。尚、コントローラ１２は、ＤＶＤ／ＣＤドライブ１４、ＨＤドライブ１５、ＴＶチューナー１６、ＡＭ／ＦＭチューナー１７及びインターフェース１８から逐次それらの設定内容を取得する。例えば、図３の例は、設定１の時間帯では、最後に周波数８０ＭＨｚのＦＭラジオが音量「１０」で放送されていたことを示し、設定２の時間帯では、最後にＣＤのトラック３が音量「１２」で再生されていたことを示す。
【００５９】
領域１０３ａ，１０３ｂに表示される情報出力部の設定内容は、表示器１３がコントローラ１２から受信することで自動的に表示するが、領域１０３ａ，１０３ｂに表示される情報出力部の設定内容も、上記設定領域１０２ａ〜１０２ｄと同様に、図４（Ａ），（Ｂ）の入力ユーザインターフェースを利用して、手動で変更すること又は設定することが可能である。
【００６０】
図３の領域１０５は、設定１，設定２の時間帯及び設定内容を有効（オン）又は無効（オフ）にする切換を行う。これは、本設定モードをオン／オフ可能にするために設けられている。領域１０５の設定をオフにすると、設定１，２の時間帯によらず、常に、電源をオフする際に視聴していた音声又は映像が、次の電源オン時に再生される。
【００６１】
図５は、設定モードの画面の第２の例を示す図である。この設定モードの画面は、図２のボタン５４がタッチされたときに表示器１３に表示される。
【００６２】
図３の設定モードの画面の第１の例と異なる点は、時間帯の設定領域１０２ａ〜１０２ｄがプルダウン形式で時刻を入力すること及び領域１０３ａ，１０３ｂがプルダウン形式で内容を変更できることである。図５の時間帯の設定領域１０２ａ〜１０２ｄには１０分毎の時刻を入力できるが、１分毎の時刻を入力できるようにしてもよい。
【００６３】
図６は、情報出力部の設定内容の一例を示す図である。
【００６４】
コントローラ１２は、ＡＣＣスイッチ１０からオフの信号を受信したときに、その受信時に使用されている情報出力部の設定内容をメモリ１２ａに保存する。尚、この情報出力部の設定内容は、上述した設定時間帯、出発地及び目的地の場所、並びにルートのいずれか１つの情報と関連づけてメモリ１２ａに保存される。
【００６５】
同図に示すように、情報出力部がＡＭ／ＦＭチューナー１７である場合には、情報出力部の種類（ここではＡＭ／ＦＭの種別）、放送局名、周波数、音量の情報がメモリ１２ａに保存される。尚、放送局名は必ずしも保存する必要はない。
【００６６】
情報出力部がＣＤ／ＤＶＤドライブ１４であり、使用されている媒体がＣＤである場合には、情報出力部の種類（ここではＣＤ）、曲名、アルバム名、アーティスト名、トラック番号、再生経過時間、及び音量の情報がメモリ１２ａに保存される。尚、曲名、アルバム名、及びアーティスト名の情報は必ずしも保存する必要はない。
【００６７】
情報出力部がＣＤ／ＤＶＤドライブ１４であり、使用されている媒体がＤＶＤである場合には、情報出力部の種類（ここではＤＶＤ）、タイトル番号、チャプタ番号、再生経過時間、及び音量の情報がメモリ１２ａに保存される。尚、タイトル番号の情報は必ずしも保存する必要はない。
【００６８】
情報出力部がＴＶチューナー１６である場合には、情報出力部の種類（ここではＴＶ）、放送局名、チャンネル番号、及び音量の情報がメモリ１２ａに保存される。尚、放送局名の情報は必ずしも保存する必要はない。
【００６９】
図７は、メモリ１２ａのメモリマップを示す図である。
【００７０】
メモリ１２ａは、制御プログラムを格納するメモリ領域２００と、設定１の時間帯の情報を格納するメモリ領域２０１と、設定１の情報出力部の設定内容を格納するメモリ領域２０２と、設定２の時間帯の情報を格納するメモリ領域２０３と、設定２の情報出力部の設定内容を格納するメモリ領域２０４とを備えている。
【００７１】
図８は、ＡＣＣスイッチ１０をオフする際に、コントローラ１２が実行する制御処理を示すフローチャートである。
【００７２】
まず、コントローラ１２は、ＡＣＣスイッチ１０からオフの信号を受信したか否かを判別する（ステップＳ１０１）。ＡＣＣスイッチ１０からオフの信号を受信していない場合には、当該判別をくり返す。一方、ＡＣＣスイッチ１０からオフの信号を受信した場合には、コントローラ１２は、システム時計１２ｂの現在の時刻が、設定１の時間帯に含まれるか否かを判別する（ステップＳ１０２）。
【００７３】
ステップＳ１０２において、システム時計１２ｂの現在の時刻が設定１の時間帯に含まれる場合には、コントローラ１２は、メモリ１２ａのメモリ領域２０２に、現在使用されている情報出力部の設定内容を保存し（ステップＳ１０３）、本処理を終了する。
【００７４】
一方、ステップＳ１０２において、システム時計１２ｂの現在の時刻が設定１の時間帯に含まれない場合、即ちシステム時計１２ｂの現在の時刻が設定２の時間帯に含まれる場合には、コントローラ１２は、メモリ１２ａのメモリ領域２０４に、現在使用されている情報出力部の設定内容を保存し（ステップＳ１０４）、本処理を終了する。
【００７５】
この制御処理により、設定１の時間帯で使用された最後の情報出力部の設定内容（即ち、ＣＤ、ＤＶＤ、ＴＶ、又はＡＭ／ＦＭラジオ等の設定内容）がメモリ１２ａのメモリ領域２０２に保存され、設定２の時間帯で使用された最後の情報出力部の設定内容（即ち、ＣＤ、ＤＶＤ、ＴＶ、又はＡＭ／ＦＭラジオ等の設定内容）がメモリ１２ａのメモリ領域２０４に保存される。
【００７６】
図９は、ＡＣＣスイッチ１０がオンにされたときに、コントローラ１２が実行する制御処理を示すフローチャートである。
【００７７】
まず、コントローラ１２は、ＡＣＣスイッチ１０からオンの信号を受信したか否かを判別する（ステップＳ１５１）。ＡＣＣスイッチ１０からオンの信号を受信していない場合には、当該判別をくり返す。一方、ＡＣＣスイッチ１０からオンの信号を受信した場合には、コントローラ１２は、システム時計１２ｂの現在の時刻が、設定１の時間帯に含まれるか否かを判別する（ステップＳ１５２）。
【００７８】
ステップＳ１５２において、システム時計１２ｂの現在の時刻が設定１の時間帯に含まれる場合には、コントローラ１２は、メモリ１２ａのメモリ領域２０２から情報出力部の設定内容を読み出し、当該設定内容に従って情報出力部の制御を実行し、表示器１３又はスピーカー２１を介して音声又は映像を再生して（ステップＳ１５３）、本処理を終了する。
【００７９】
一方、ステップＳ１５２において、システム時計１２ｂの現在の時刻が設定１の時間帯に含まれない場合、即ちシステム時計１２ｂの現在の時刻が設定２の時間帯に含まれる場合には、コントローラ１２は、メモリ１２ａのメモリ領域２０４から情報出力部の設定内容を読み出し、当該設定内容に従って情報出力部の制御を実行し、表示器１３又はスピーカー２１を介して音声又は映像を再生して（ステップＳ１５４）、本処理を終了する。
【００８０】
この制御処理により、現在の時刻に応じて、メモリ領域２０２又はメモリ領域２０４から情報出力部の設定内容を読み出し、当該設定内容に従って情報出力部の制御を実行し、表示器１３又はスピーカー２１を介して音声又は映像を再生するので、ユーザの生活スタイルにあった音声又は映像の再生を、複雑な操作なしに実行することができる。
【００８１】
以上詳細に説明したように、本実施の形態によれば、設定された時間帯毎に、ＡＣＣスイッチをオフする際に使用されている情報出力部の設定内容がメモリに記憶され、ＡＣＣスイッチをオンしたときに、現在の時刻が複数の時間帯のいずれに含まれるかが判断され、その判断結果に基づいて、現在の時刻を含む時間帯に対応する情報出力部の設定内容がメモリから読み出され、当該読み出された設定内容に従って、音声又は映像が再生されるので、ユーザの生活スタイルにあった音声又は映像の再生を、複雑な操作なしに実行することができる。
【００８２】
（第２の実施の形態）
以下、図面を参照しながら本発明の第２の実施の形態を説明する。
【００８３】
本発明の第１の実施の形態では、設定１又は設定２として時間帯を設定したが、本実施の形態では、設定１又は設定２として出発地及び目的地の場所を設定する。尚、本実施の形態では第１の実施の形態と異なる点を説明する。
【００８４】
図１０は、第２の実施の形態に係る設定モードの画面の第３の例を示す図である。この設定モードの画面は、図２のボタン５４がタッチされたときに表示器１３に表示される。
【００８５】
図１０の設定モードの画面は、時間帯の設定に代えて、出発地及び目的地の情報を設定している点及び地図情報が表示される点で図３の設定モードの画面と異なる。また、図７のメモリ１２ａ内のメモリ領域２０１は、設定１の時間帯に代えて、設定１の出発地及び目的地の情報を記憶し、メモリ領域２０３は、設定２の時間帯に代えて、設定２の出発地及び目的地の情報を記憶する。
【００８６】
図１０の設定モードの画面は、地図情報の表示領域１１０、地図情報をスクロールするスクロール部１１１、出発地の設定領域１１２ａ，１１２ｃ、目的地の設定領域１１２ｂ，１１２ｄ、設定内容を示す領域１０３ａ，１０３ｂ、入力ＵＩボタン１０４、設定のオン／オフを切り換える領域１０５、及び図２の操作画面に切り換えるためのボタン１０６を表示する。領域１０３ａ，１０３ｂ、入力ＵＩボタン１０４、領域１０５、及びボタン１０６については、上述した説明と同様なので、省略する。
【００８７】
出発地の設定領域１１２ａ，１１２ｃ及び目的地の設定領域１１２ｂ，１１２ｄには、図４（Ａ），（Ｂ）の入力ユーザインターフェースを利用して、それぞれ出発地及び目的地が入力される。
【００８８】
出発地の設定領域１１２ａに入力された場所の情報は、表示器１３１からコントローラ１２に送信され、設定１の出発地の情報としてメモリ１２ａ内のメモリ領域２０１に保存される。目的地の設定領域１１２ｂに入力された場所の情報は、表示器１３１からコントローラ１２に送信され、設定１の目的地の情報としてメモリ１２ａ内のメモリ領域２０１に保存される。
【００８９】
出発地の設定領域１１２ｃに入力された場所の情報は、表示器１３１からコントローラ１２に送信され、設定２の出発地の情報としてメモリ１２ａ内のメモリ領域２０３に保存される。目的地の設定領域１１２ｄに入力された場所の情報は、表示器１３１からコントローラ１２に送信され、設定２の目的地の情報としてメモリ１２ａ内のメモリ領域２０３に保存される。
【００９０】
出発地の設定領域１１２ａ，１１２ｃ及び目的地の設定領域１１２ｂ，１１２ｄのいずれかの領域をタッチすることにより選択し、表示領域１１０に表示されている地図の適当な位置をタッチすることで、その位置を示す情報が選択されている領域に入力される。この場合、地図上の位置を示す情報が表示器１３１からコントローラ１２に送信され、当該情報は、選択された領域に対応するメモリ領域に保存される。
【００９１】
このように、表示領域１１０に表示されている地図を利用して出発地や目的地を入力することも可能である。
【００９２】
図１１は、ＡＣＣスイッチ１０をオフする際に、コントローラ１２が実行する制御処理を示すフローチャートである。
【００９３】
まず、コントローラ１２は、ＡＣＣスイッチ１０からオフの信号を受信したか否かを判別する（ステップＳ２０１）。ＡＣＣスイッチ１０からオフの信号を受信していない場合には、当該判別をくり返す。一方、ＡＣＣスイッチ１０からオフの信号を受信した場合には、コントローラ１２は、現在の車両の出発地及び目的地が、設定１の出発地及び目的地に該当するか否かを判別する（ステップＳ２０２）。この判別は、コントローラ１２がカーナビゲーション機能で設定された出発地及び目的地の情報をメモリ１２ａから読み出すことで実行される。より具体的には、コントローラ１２は、メモリ領域２０１又はメモリ領域２０３に保存されている出発地及び目的地の情報と、カーナビゲーション機能で設定された出発地及び目的地の情報とを比較し、一致している場合には、ステップＳ２０２の判別がＹＥＳとなり、一致していない場合にはＮＯとなる。
【００９４】
ステップＳ２０２の判別がＹＥＳの場合には、コントローラ１２は、メモリ１２ａのメモリ領域２０２に、現在使用されている情報出力部の設定内容を保存し（ステップＳ１０３）、本処理を終了する。
【００９５】
ステップＳ２０２の判別がＮｏの場合には、コントローラ１２は、現在の車両の出発地及び目的地が、設定２の出発地及び目的地に該当するか否かを判別する（ステップＳ２０４）。
【００９６】
ステップＳ２０４の判別がＹＥＳの場合には、コントローラ１２は、メモリ１２ａのメモリ領域２０４に、現在使用されている情報出力部の設定内容を保存し（ステップＳ２０５）、本処理を終了する。ステップＳ２０４の判別がＮｏの場合には、コントローラ１２は、本処理を終了する。
【００９７】
この制御処理により、設定１の出発地及び目的地で使用された最後の情報出力部の設定内容（即ち、ＣＤ、ＤＶＤ、ＴＶ、又はＡＭ／ＦＭラジオ等の設定内容）がメモリ１２ａのメモリ領域２０２に保存され、設定２の出発地及び目的地で使用された最後の情報出力部の設定内容（即ち、ＣＤ、ＤＶＤ、ＴＶ、又はＡＭ／ＦＭラジオ等の設定内容）がメモリ１２ａのメモリ領域２０４に保存される。
【００９８】
図１２は、ＡＣＣスイッチ１０がオンにされたときに、コントローラ１２が実行する制御処理を示すフローチャートである。
【００９９】
まず、コントローラ１２は、ＡＣＣスイッチ１０からオンの信号を受信したか否かを判別する（ステップＳ２５１）。ＡＣＣスイッチ１０からオンの信号を受信していない場合には、当該判別をくり返す。一方、ＡＣＣスイッチ１０からオンの信号を受信した場合には、コントローラ１２は、現在の車両の出発地及び目的地が、設定１の出発地及び目的地に該当するか否かを判別する（ステップＳ２５２）。
【０１００】
ステップＳ２５２の判別がＹＥＳの場合には、コントローラ１２は、メモリ１２ａのメモリ領域２０２から情報出力部の設定内容を読み出し、当該設定内容に従って情報出力部の制御を実行し、表示器１３又はスピーカー２１を介して音声又は映像を再生して（ステップＳ２５３）、本処理を終了する。
【０１０１】
一方、ステップＳ２５２の判別がＮｏの場合には、コントローラ１２は、現在の車両の出発地及び目的地が、設定２の出発地及び目的地に該当するか否かを判別する（ステップＳ２５４）。
【０１０２】
ステップＳ２５４の判別がＹＥＳの場合には、コントローラ１２は、メモリ１２ａのメモリ領域２０４から情報出力部の設定内容を読み出し、当該設定内容に従って情報出力部の制御を実行し、表示器１３又はスピーカー２１を介して音声又は映像を再生して（ステップＳ２０５）、本処理を終了する。ステップＳ２５４の判別がＮｏの場合には、コントローラ１２は、本処理を終了する。
【０１０３】
この制御処理により、現在の車両の出発地及び目的地に応じて、メモリ領域２０２又はメモリ領域２０４から情報出力部の設定内容を読み出し、当該設定内容に従って情報出力部の制御を実行し、表示器１３又はスピーカー２１を介して音声又は映像を再生するので、ユーザの生活スタイルにあった音声又は映像の再生を、複雑な操作なしに実行することができる。
【０１０４】
以上詳細に説明したように、本実施の形態によれば、設定された出発地及び目的地（場所情報）毎に、ＡＣＣスイッチをオフする際に使用されている情報出力部の設定内容がメモリに記憶され、ＡＣＣスイッチをオンしたときに、現在の出発地及び目的地が複数の場所情報のいずれに該当するかが判断され、その判断結果に基づいて、現在の出発地及び目的地に対応する情報出力部の設定内容がメモリから読み出され、当該読み出された設定内容に従って、音声又は映像が再生されるので、ユーザの生活スタイルにあった音声又は映像の再生を、複雑な操作なしに実行することができる。
【０１０５】
（第３の実施の形態）
以下、図面を参照しながら本発明の第３の実施の形態を説明する。
【０１０６】
本発明の第２の実施の形態では、設定１又は設定２として出発地及び目的地の場所を設定したが、本実施の形態では、ナビゲーションのルートを設定する。尚、本実施の形態では第２の実施の形態と異なる点を説明する。
【０１０７】
図１３は、第３の実施の形態に係る設定モードの画面の第４の例を示す図である。この設定モードの画面は、図２のボタン５４がタッチされたときに表示器１３に表示される。
【０１０８】
図１３の設定モードの画面は、出発地及び目的地の情報の設定に代えて、ルートの情報を設定している点で図１０の設定モードの画面と異なる。また、図７のメモリ１２ａ内のメモリ領域２０１は、設定１の時間帯に代えて、設定１のルートの情報を記憶し、メモリ領域２０３は、設定２の時間帯に代えて、設定２のルートの情報を記憶する。
【０１０９】
図１３の設定モードの画面は、図１０の出発地の設定領域１１２ａ，１１２ｃ及び目的地の設定領域１１２ｂ，１１２ｄに代えて、ルートの設定領域１１３ａ，１１３ｂを表示する。
【０１１０】
ルートの設定領域１１３ａ，１１３ｂには、図４（Ａ），（Ｂ）の入力ユーザインターフェースを利用して、それぞれルートが入力される。
【０１１１】
ルートの設定領域１１３ａに入力されたルートの情報は、表示器１３１からコントローラ１２に送信され、設定１のルートの情報としてメモリ１２ａ内のメモリ領域２０１に保存される。ルートの設定領域１１３ｂに入力されたルートの情報は、表示器１３１からコントローラ１２に送信され、設定２のルートの情報としてメモリ１２ａ内のメモリ領域２０３に保存される。
【０１１２】
また、ルートの設定領域１１３ａ，１１３ｂのいずれかの領域をタッチすることにより選択し、表示領域１１０に表示されている地図上のルートをタッチすることで、そのルートを示す情報が選択されている領域に入力される。この場合、地図上のルートを示す情報が表示器１３１からコントローラ１２に送信され、当該情報は、選択された領域に対応するメモリ領域に保存される。
【０１１３】
このように、表示領域１１０に表示されている地図上のルートを利用して、ルートの設定領域にルートを入力することも可能である。
【０１１４】
図１４は、ＡＣＣスイッチ１０をオフする際に、コントローラ１２が実行する制御処理を示すフローチャートである。
【０１１５】
図１１のコントローラ１２が実行する制御処理では、ステップＳ２０２において、コントローラ１２は、現在の車両の出発地及び目的地が、設定１の出発地及び目的地に該当するか否かを判別する。
【０１１６】
これに対して、図１４のコントローラ１２が実行する制御処理では、ステップＳ３０２において、コントローラ１２は、現在のルートが、設定１のルートの情報に該当するか否かを判別する。この判別は、コントローラ１２がカーナビゲーション機能で設定されたルートの情報をメモリ１２ａから読み出すことで実行される。より具体的には、コントローラ１２は、メモリ領域２０１又はメモリ領域２０３に保存されているルートの情報と、カーナビゲーション機能で設定されたルートの情報とを比較し、一致している場合には、ステップＳ３０２の判別がＹＥＳとなり、一致していない場合にはＮＯとなる。
【０１１７】
同様に、図１１のコントローラ１２が実行する制御処理では、ステップＳ２０４において、コントローラ１２は、現在の車両の出発地及び目的地が、設定２の出発地及び目的地に該当するか否かを判別する。これに対して、図１４のコントローラ１２が実行する制御処理では、ステップＳ３０４において、コントローラ１２は、現在のルートが、設定２のルートの情報に該当するか否かを判別する。
【０１１８】
その他の処理については、図１１のコントローラ１２が実行する制御処理と同様なので、その説明は省略する。
【０１１９】
図１５は、ＡＣＣスイッチ１０がオンにされたときに、コントローラ１２が実行する制御処理を示すフローチャートである。
【０１２０】
図１２のコントローラ１２が実行する制御処理では、ステップＳ２５２において、コントローラ１２は、現在の車両の出発地及び目的地が、設定１の出発地及び目的地に該当するか否かを判別する。これに対して、図１５のコントローラ１２が実行する制御処理では、ステップＳ３５２において、コントローラ１２は、現在のルートが、設定１のルートの情報に該当するか否かを判別する。
【０１２１】
同様に、図１２のコントローラ１２が実行する制御処理では、ステップＳ２５４において、コントローラ１２は、現在の車両の出発地及び目的地が、設定２の出発地及び目的地に該当するか否かを判別する。これに対して、図１５のコントローラ１２が実行する制御処理では、ステップＳ３５４において、コントローラ１２は、現在のルートが、設定２のルートの情報に該当するか否かを判別する。
【０１２２】
その他の処理については、図１２のコントローラ１２が実行する制御処理と同様なので、その説明は省略する。
【０１２３】
以上詳細に説明したように、本実施の形態によれば、設定されたルートの情報毎に、ＡＣＣスイッチをオフする際に使用されている情報出力部の設定内容がメモリに記憶され、ＡＣＣスイッチをオンしたときに、現在のルートが複数のルートの情報のいずれに該当するかが判断され、その判断結果に基づいて、現在のルートに対応する情報出力部の設定内容がメモリから読み出され、当該読み出された設定内容に従って、音声又は映像が再生されるので、ユーザの生活スタイルにあった音声又は映像の再生を、複雑な操作なしに実行することができる。
【０１２４】
上記第１〜第３の実施の形態では、設定１及び設定２の２つの設定項目が設けられていたが、３つ以上の設定項目を設けてもよい。
【０１２５】
また、上記第１〜第３の実施の形態では、ＡＣＣスイッチをオフする際に使用されている情報出力部の設定内容がメモリに記憶されたが、イグニッションスイッチをオフする際に使用されている情報出力部の設定内容がメモリに記憶されるようにしてもよい。
【０１２６】
車載情報機器１００の機能を実現するためのソフトウェアのプログラムが記録されている記録媒体を、車載情報機器１００に供給し、車載情報機器１００のコンピュータ（即ち、コントローラ）が記憶媒体に格納されたプログラムを読み出し実行することによっても、上記第１〜第３の実施の形態と同様の効果を奏する。プログラムを供給するための記憶媒体としては、例えば、ＣＤ−ＲＯＭ、ＤＶＤ、及びＳＤカードなどがある。
【０１２７】
また、車載情報機器１００のコンピュータ（即ち、コントローラ）が、車載情報機器１００の機能を実現するためのソフトウェアのプログラムを実行することによっても、上記第１〜第３の実施の形態と同様の効果を奏する。
【０１２８】
なお、本発明は、上述した実施の形態に限定されるものではなく、その要旨を逸脱しない範囲内で種々変形して実施することが可能である。
【図面の簡単な説明】
【０１２９】
【図１】本発明の第１の実施の形態に係る車載情報機器の構成図である。
【図２】表示器に表示されるモード切替の操作画面の一例を示す図である。
【図３】設定モードの画面の第１の例を示す図である。
【図４】（Ａ）は、表示器に表示される入力ユーザインターフェースの第１の例を示す図であり、（Ｂ）は、表示器に表示される入力ユーザインターフェースの第２の例を示す図である。
【図５】設定モードの画面の第２の例を示す図である。
【図６】情報出力部の設定内容の一例を示す図である。
【図７】メモリのメモリマップを示す図である。
【図８】ＡＣＣスイッチをオフする際に、コントローラが実行する制御処理を示すフローチャートである。
【図９】ＡＣＣスイッチがオンにされたときに、コントローラが実行する制御処理を示すフローチャートである。
【図１０】第２の実施の形態に係る設定モードの画面の第３の例を示す図である。
【図１１】ＡＣＣスイッチをオフする際に、コントローラが実行する制御処理を示すフローチャートである。
【図１２】ＡＣＣスイッチがオンにされたときに、コントローラが実行する制御処理を示すフローチャートである。
【図１３】第３の実施の形態に係る設定モードの画面の第４の例を示す図である。
【図１４】ＡＣＣスイッチをオフする際に、コントローラが実行する制御処理を示すフローチャートである。
【図１５】ＡＣＣスイッチがオンにされたときに、コントローラが実行する制御処理を示すフローチャートである。
【符号の説明】
【０１３０】
１０  ＡＣＣスイッチ
１１  キースイッチ群
１２  コントローラ（設定手段、判断手段、再生手段）
１２ａ  メモリ（記憶手段）
１２ｂ  システム時計
１３  表示器（設定手段、再生手段）
１４  ＤＶＤ／ＣＤドライブ（情報出力手段）
１５  ハードディスク（ＨＤ）ドライブ（情報出力手段）
１６  ＴＶチューナー（情報出力手段）
１７  ＡＭ／ＦＭチューナー（情報出力手段）
１８  インターフェース（情報出力手段）
１９  オーディオプロセッサ（再生手段）
２０  アンプ（再生手段）
２１  スピーカー（再生手段）
１００  車載情報機器
【図１】
2008167160.tif 000003
【図２】
2008167160.tif 000004
【図３】
2008167160.tif 000005
【図４】
2008167160.tif 000006
【図５】
2008167160.tif 000007
【図６】
2008167160.tif 000008
【図７】
2008167160.tif 000009
【図８】
2008167160.tif 000010
【図９】
2008167160.tif 000011
【図１０】
2008167160.tif 000012
【図１１】
2008167160.tif 000013
【図１２】
2008167160.tif 000014
【図１３】
2008167160.tif 000015
【図１４】
2008167160.tif 000016
【図１５】
2008167160.tif 000017